(57)【要約】【課題】毛髪を切断したりすることなく、毛髪のどこの部分についても正確かつ簡便にそのつやを測定することができる毛髪のつや測定器具を提供すること。【解決手段】一部が測定部として開放された遮光空間内に、毛髪に光を照射するための光源と、該光源から毛髪へ照射された光の正反射光を測光するための少なくとも１つの受光部と、拡散反射光を測光するための少なくとも１つの受光部を有することを特徴とする毛髪のつや測定器具。【選択図】  図１
2004212088.tif 000002
【特許請求の範囲】
【請求項１】
一部が測定部として開放された遮光空間内に、毛髪に光を照射するための光源と、該光源から毛髪へ照射された光の正反射光を測光するための少なくとも１つの受光部と、拡散反射光を測光するための少なくとも１つの受光部を有することを特徴とする毛髪のつや測定器具。
【請求項２】
正反射光を測光するための受光部が、光源と反対側に、測定面の形成する平面に対して、光源の光軸角度と同じ光軸角度となるよう設けられている請求項第１項記載の毛髪のつや測定器具。
【請求項３】
正反射光を測光するための受光部の光軸が、測定面の形成する平面に対してほぼ４５°の角度であり、拡散光反射光を測光するための受光部の光軸が、測定面の形成する平面に対しほぼ垂直である請求項第１項または第２項記載の毛髪のつや測定器具。
【請求項４】
光源が複数である請求項第１項ないし第３項の何れかの項記載の毛髪のつや測定器具。
【請求項５】
更に毛髪のつやの程度を表示する表示部を設けるものである請求項第１項ないし第４項の何れかの項記載の毛髪のつや測定器具。
【発明の詳細な説明】
【０００１】
【発明の属する技術分野】
本発明は、毛髪のつや測定器具に関する。更に詳しくは、毛髪を切断したりすることなく、毛髪のどこの部分についても正確かつ簡便にそのつやを測定することができる毛髪のつや測定器具に関する。
【０００２】
【従来の技術】
毛髪のつやは、毛髪の損傷や損傷の度合い等の毛髪の健康度を示すものであり、毛髪に外観上の美しさを与える大きな要因の一つである。また、近年では、毛髪のつやは、シャンプー、リンス、整髪料等の毛髪化粧料の効果を評価する上でも重要な指標とされているものである。
【０００３】
この毛髪のつやについては、従来より種々の方法で測定が行われてきたが、最も一般的な毛髪のつやの測定方法は、目視により評価する方法である。しかし、この方法では測定者による評価のばらつきが生じてしまい、客観的な評価を行うには専門的な知識と十分な経験が必要となり、店頭などで手軽に実施できないという欠点があった。また、近年ではカラーリングされた毛髪も多くなり、色構成も多種ないし複雑になってきているため、目視によって毛髪のつやを正確に評価ないし判断することは困難となってきている。
【０００４】
一方、機械的な操作で毛髪のつやを測定する方法としては、カラー画像の解析を用いて毛髪のつやを測定する方法（例えば、特許文献１）や、皮膚表面の性状を測定するために物体に光を照射し、その反射光を検知・解析する方法（例えば、特許文献２及び３参照）を転用する方法が知られていた。しかし、これらの方法は、いずれも装置が大がかりで測定方法も複雑であるため、ユーザー自身による測定や、店頭などでの簡易的な測定には利用できないという問題があった。
【０００５】
また、本発明者も、毛髪表面に複数の角度から光を照射して、それぞれの反射光の違いを求めて数値化することにより毛髪のつやの程度を測定する測定器具を開発し、特許出願している（特許文献４参照）。この測定器具は小型で使用方法も簡便であるため、販売店の店頭等でも容易に毛髪のつやを測定できるものであるが、測定部である空隙に毛髪を挟み込んで測定を行うという構造上、毛髪の根元部分の測定が困難であるという欠点があった。
【０００６】
【特許文献１】
特開平４−１０５０４５号公報（第１−１１頁）
【特許文献２】
特開平７−７１９４５号公報（第１−８頁）
【特許文献３】
特開平１０−１３７１９４号公報（第１−１０頁）
【特許文献４】
特開２０００−１１６６２２号公報（第１−５頁）
【０００７】
【発明が解決しようとする課題】
従って、毛髪に負担を与えずに、また、毛髪の色の影響を受けることなく、毛髪のどこの部分についても正確にかつ簡便にそのつやを測定できる器具の提供が求められていた。
【０００８】
【課題を解決するための手段】
本発明者らは、上記課題を解決すべく鋭意研究を行った結果、光源から毛髪に対し照射した光の反射光を、直接の反射光である正反射光と間接的な反射光である拡散反射光として受光し、それぞれの反射光の差分を指標とすれば、毛髪のつやの程度を正確に測定できることを知った。そして、この測定原理を利用した毛髪のつや測定器具を案出し、本発明を完成した。
【０００９】
すなわち本発明は、一部が測定部として開放された遮光空間内に、毛髪に光を照射するための光源と、該光源から毛髪へ照射された光の正反射光を測光するための少なくとも１つの受光部と、拡散反射光を測光するための少なくとも一つの受光部を有することを特徴とする毛髪のつや測定器具を提供するものである。
【００１０】
【発明の実施の形態】
以下、本発明についての実施態様を示す図面を挙げて、本発明を説明する。
【００１１】
図１は、本発明の毛髪のつや測定器具の一態様を模式的に表した平面図であり、図２はその側面図、図３は図２を矢印方向から見た図である。また、図４は図２におけるＡ−Ａ'方向の部分断面図、図５は、図２におけるＢ−Ｂ'方向の断面図を示す。各図中、１は測定器具本体、２は遮光空間、３は測定部、４は光源、５（５ａ及び５ｂ）は受光部、６は変換部、７は表示部、８は操作ボタン、９は毛髪試料をそれぞれ示す。
【００１２】
図１および図２に示す毛髪のつや測定器具１（以下、「測定器具」とする）は、その基本構成として、測定器具１の先端に設けられた遮光空間２に、被検対象である毛髪試料９に対して光を照射するための光源４と、かかる照射光の反射光を受光してその強度を測定する（測光する）、少なくとも２つの受光部５（拡散反射光用受光部５ａ及び正反射光用受光部５ｂ）が設けられている。
【００１３】
光を照射するために使用される光源４としては、種々の光源を使用することができるが、測定器具１をコンパクトなものとするために、発光ダイオードを使用することが好ましい。
【００１４】
一方、反射光を受光する受光部５としては、フォトダイオード、フォトトランジスタ等を使用することができるが、応答性が速い、出力のバラツキが少ない、入射光量と出力との直線性がよい等の理由から、フォトダイオードを用いることが好ましい。
【００１５】
また、上記光源４および受光部５が設けられる遮光空間２は、その一部が測定部３として開放されているものである。この遮光空間２は、受光部５が毛髪試料９からの反射光を正確に測定するために、測定部３以外の部分からの光を実質的に遮蔽することができ、かつ少なくとも測定部３の周辺はある程度の弾力性を有する材料で構成されることが好ましい。また、その形状としては、球の一部を切り取ったような形状（例えば、お椀型）であることが好ましい。
【００１６】
更に、遮光空間２に設けられた測定部３は、その部分に毛髪試料９を当て、光源４からの光を照射する部分である。この測定部３の形状は、特に制約があるわけではないが、毛髪試料９を当てる位置による影響をなくすため、円形形状であることが好ましい。本発明の測定器具１は、このように測定部３を毛髪試料９に当てて毛髪のつやを測定する手段を用いるため、毛髪の根元部分を含む毛髪のどこの部分についても正確にそのつやを測定することができるのである。
【００１７】
本発明の測定器具１は、図４及び図５に示すように、測定部３に接触して置かれた毛髪試料９に対して光源４から光を照射し、この反射光を少なくとも２つの受光部５（５ａ及び５ｂ）で受光するものであるが、これら受光部５のうち一方は、光源４から照射された光の反射光のうち拡散反射光を受光するものであり、他の一方は正反射光を受光するものである。
【００１８】
より具体的には、図４に示すように、光源４の反対側に、測定部３の形成する平面（毛髪試料９の面）に対し、光源の光軸の角度と同じ角度で光軸を向けた受光部５ｂを正反射光用の受光部とする。一方、受光部５ｂと十分に離れた位置、好ましくは、測定部３が形成する平面（毛髪試料９の面）に垂直な上部方向に、当該平面方向に光軸を向けた拡散光用の受光部５ａを設ける。
【００１９】
測定部３の形成する平面に対する光源４の光軸の角度は、３０°から６０°程度の角度であり、特に約４５°の角度に配置することが好ましい。
【００２０】
更に、本発明の測定器具１は、複数の光源４を用い、これに対する拡散反射光用受光部５ａ及び正反射光用受光部５ｂを設けてもよい。光源４を複数にすることにより、光を毛髪試料９に対して各方向から照射した場合における反射光を測定して毛髪のつやの程度を判定することができるため、キューティクルの剥がれ方に左右され、方向性を有するとされる毛髪のつやについて、その方向性の影響を防止し、毛髪試料９のつやを客観的かつ正確に測定できるので好ましい。このように複数の光源４を使用する場合にあっても、上記した光源４と受光部５の位置関係を満足させるように、当該各光源の位置に対応させて受光部５を配置するようにする必要がある。
【００２１】
図６は、光源４として４ａ、４ｂ及び４ｃの３つを、同心円上に各光源同士を１２０゜間隔に配置した態様（正三角形状に配置した例）を示したものである。
この態様においても、受光部５ａが毛髪試料９の面（測定部面）の垂直方向に配置されるため、どの光源４に対しても、毛髪試料９に照射された光の拡散反射光を受光することが可能となる。そして、別途設けられているもう一つの受光部５ｂ（５ｂａ、５ｂｂ及び５ｂｃ）により、反射光のうちの正反射光を受光することができる。
【００２２】
上記の光源４から毛髪試料９に照射され、受光部５ｂおよび５ａで正反射光及び拡散反射光として受光された光は、反射光の強度に応じた電気的信号（電圧ないしは電流）に変換される。そして、正反射光と拡散反射光の電気的信号強度の差分を算出し、これをつやの指標値とすることにより、毛髪のつやの程度を判定することができる。
【００２３】
上記したつや指標値の算出も含め、受光部５で感知された反射光の強度の解析等は、受光部５と連接された変換部６により行ってもよく、更に、あらかじめ変換部６に、または該変換部６に連接された制御部（図示しない）に組み込まれたプログラムや制御手段等に従って、表示部７に毛髪試料９のつや情報として表示することができる。
【００２４】
なお、光源４として複数の光源を用いた場合にあっては、各光源ごとに対応するつやの指標値のそれぞれを用いて判定を行ってもよいが、各光源に対応するつやの指標値の平均値を求めて判定を行えば、毛髪試料９のつやの程度をより正確に測定できるため好ましい。
【００２５】
また、本発明の測定器具１においては、その使用における必要な操作、例えば上記した光源４からの光の照射の入／切、検出電圧ないし電流値のつや情報への変換、表示部７への毛髪のつや情報の表示等の操作は、全て、操作ボタン８により行うことができる。
【００２６】
以上の構成による本発明のつや測定器具１を用いて毛髪試料９のつやの測定を行う方法を、光源４として３つの発光ダイオード４ａ、４ｂ及び４ｃを用いた、図６に示した態様を例として説明する。
【００２７】
図６における３つの光源（発光ダイオード）をそれぞれ４ａ、４ｂ及び４ｃとし、また、正反射光を受光する受光部５ｂを、それぞれの光源に対応させた５ｂａ（４ａに対応）、５ｂｂ（４ｂに対応）及び５ｂｃ（４ｃに対応）とする。まず、測定器具１の遮光空間２に設けられた測定部３を被験者の毛髪試料９に押し当てた後、発光ダイオード４ａを点灯させて毛髪試料９に光を照射し、その反射光のうち、拡散反射光を受光部５ａで、正反射光を５ｂａでそれぞれ測定して、発光ダイオード４ａに対応する電気的信号として電圧ないしは電流値を検出する。次に、かかる操作を、同様に発光ダイオード４ｂ及び発光ダイオード４ｃを順次点灯させて行い、それぞれの発光ダイオードの照射光に対応する反射光を受光部５ｂａ及び５ｂｂ並び５ｂｃで感知し、発光ダイオードそれぞれに対応する電圧ないしは電流値を検出する。
【００２８】
このようにして各発光ダイオード４ａ、４ｂ及び４ｃに対する正反射光及び拡散反射光の電圧ないしは電流値が測定できたら、受光部５ａ及び５ｂ（５ｂａ、５ｂｂ及び５ｃｃ）に接続される変換部６にて各光源４に対する正反射光及び拡散反射光の電圧ないしは電流値の平均値を求め、その差分を算出して毛髪のつやの程度とする。そして、当該つやの程度を表示部７に表示等することにより、毛髪試料９のつやの程度が簡便に判断することができる。
【００２９】
なお、上記の態様は、いずれも測定器具１の全体の形状が縦長の６面体に近い形状により構成されているものであるが、かかる形状には限定されず、例えば、遮光空間２を主構成とした、測定器具１全体が手のひらに収まるようなサイズの椀形状もしくは多角形の板状形状により構成されていてもよい。これらの形状による態様においても、測定部３を毛髪試料９に当てて毛髪のつやを測定する手段を用いるために、毛髪の根元部分を含む毛髪のどこの部分についても問題なく正確にそのつやを測定することができるものである。
【００３０】
【作用】
本発明の測定器具１で毛髪のつやが正確に測定される原理は、光源から毛髪試料に照射された光の反射光を、正反射光及び拡散反射光に分けて受光するため、反射光中のつや成分を正反射光及び拡散反射光の差として取り出すことができるというものである。すなわち、例えば、図７に示すように、光源４から毛髪試料９が置かれた測定部面に対しほぼ４５°の角度で光を照射させ、かつ、入射光軸に対し、４５゜に反射される光（拡散反射光）及び９０°に反射される光（正反射光）を受光部５ａ及び５ｂで受光し、その差分を求めれば、正反射光中に含まれる拡散反射光が消し去られ、毛髪のつやとされる反射光成分のみを正確に測定できるのである。
【００３１】
【実施例】
次に実施例を挙げて本発明を更に詳しく説明するが、本発明はこれら実施例に何ら制約されるものではない。
【００３２】
実 施 例  １
図１に示す本発明の測定器具を用いて毛髪のつやを測定し、測定結果を従来品の毛髪のつや測定器具及び目視による測定結果と比較・評価した。
【００３３】
（ａ）本発明の測定器具による測定：
被検サンプルとして、市販の毛束４種類（以下、「サンプル１〜４」とする）を用意した。当該サンプル１〜４に対し、光源として発光ダイオードを用いる図６の測定器具を用い、下記表１（光源）及び表２（受光部）に示す測定条件により、正反射光及び拡散反射光の強度（電圧値）を測定した。測定結果を表３（正反射光）及び表４（拡散反射光）に示す。なお、本測定にあたっては、図７に示されるように、一つの受光部を、光源に対して、毛髪試料９の面を介して４５°の角度（かつ毛髪試料の面に対して垂直方向）に配置し、また、もう一つの受光部を、光源４に対して、毛髪試料９の面を介して９０°の角度となるように配置した。
【００３４】
（ 測定条件：光源 ）
【表１】
2004212088.tif 000003
（ 測定条件：受光部）
【表２】
2004212088.tif 000004
【００３５】
（ 測定結果：正反射光 ）
【表３】
2004212088.tif 000005
（ 測定結果：拡散反射光 ）
【表４】
2004212088.tif 000006
【００３６】
そして、上記の測定結果を用いて、光源ごとの電位差（正反射方向の電圧と拡散反射方向の電圧との差分）を求めて、毛髪のつやの指標値とした。結果を表５に示す。
【００３７】
（ 結  果 ）
【表５】
2004212088.tif 000007
【００３８】
（ｂ）従来品による測定：
特開平２０００−１１６６２２号公報中に開示される毛髪のつや測定器具を用いて、下記表６（光源）及び表７（受光部）に記載した測定条件を用い、かつ、毛髪試料に対する光源と受光部の関係を図８に示すようにして、サンプル１〜４の毛髪に対して、正反射光及び拡散反射光の強度（電圧値）を測定した。測定結果を表８（正反射光）及び表９（拡散反射光）に示す。
【００３９】
（ 測定条件：光源 ）
【表６】
2004212088.tif 000008
（ 測定条件：受光部）
【表７】
2004212088.tif 000009
【００４０】
（ 測定結果：正反射光 ）
【表８】
2004212088.tif 000010
（ 測定結果：拡散反射光 ）
【表９】
2004212088.tif 000011
【００４１】
そして、上記の測定結果を用いて、電位差（正反射方向の電圧と拡散反射方向の電圧との差）を測定して、毛髪のつやの程度の指標値とした。結果を表１０に示す。
【００４２】
（ 結  果 ）
【表１０】
2004212088.tif 000012
【００４３】
（ｃ）目視による評価：
サンプル１〜４に対して、目視により毛髪のつやの評価を行った。なお、判定は、「つやがある」、「ややつやがある」、「あまりつやがない」、「つやがない」の４段階で行った。結果を表１１に示す。
【００４４】
（ 結  果 ）
【表１１】
2004212088.tif 000013
【００４５】
本発明品の結果（表５）と目視評価（表１１）を比較すると、専門家の目視評価によりつやがあると判定されたサンプルについては、本発明の測定器具によるつやの程度の指標値も高く、両者の結果との間に明らかな相関関係があることが確認できた。また、本発明品の結果（表５）と従来品の結果（表１０）を比較しても、その絶対値は異なるが、同様な傾向を示すものであった。以上の結果より、本発明の毛髪のつや測定器具を用いれば、毛髪のつやを正確に測定できるものと判断された。
【００４６】
【発明の効果】
本発明の毛髪のつや測定器具は、被検対照である毛髪に照射した光の反射光を複数方向から検出して毛髪のつやを判定するため、毛髪のつやを正確に測定ないし評価することができる。また、測定に際して毛髪の切断等の操作を必要としないため、毛髪に負担をかけることもなく、毛髪の根元部分を含む毛髪のどこの部分についても何の問題もなくそのつやを正確に測定することができるものである。
【００４７】
また、本発明の毛髪のつや測定器具は小型で使用方法も簡便であるため、販売店の店頭などでも容易に毛髪のつやを測定できるものである。
【図面の簡単な説明】
【図１】本発明の毛髪のつや測定器具の一態様を示す平面図である。
【図２】本発明の毛髪のつや測定器具の一態様を示す側面図である。
【図３】図２を矢印方向から見た状態を示す図である。
【図４】図２のＡ−Ａ’方向の部分断面図である。
【図５】図２のＢ−Ｂ’方向の断面図である。
【図６】図５において、３つの光源（発光ダイオード）を用いた態様を示す図である。
【図７】本発明の測定原理、特に光源及び受光部と毛髪との位置関係を模式的に表した図面である。
【図８】実施例１の（ｂ）の従来品による測定における、毛髪試料に対する光源と受光部の位置関係を模式的に示した図面である。
【符号の説明】
１ …… 測定器具本体
２ …… 遮光空間
３ …… 測定部
４ …… 光源
４ａ …… 光源（発光ダイオード）
５ …… 受光部
５ａ …… 受光部（拡散反射光受光）
５ｂａ、５ｂｂ及び５ｂｃ…… 受光部（正反射光受光）
６ …… 変換部
７ …… 表示部
８ …… 操作ボタン
９ …… 毛髪試料
以    上
【図１】
2004212088.tif 000014
【図２】
2004212088.tif 000015
【図３】
2004212088.tif 000016
【図４】
2004212088.tif 000017
【図５】
2004212088.tif 000018
【図６】
2004212088.tif 000019
【図７】
2004212088.tif 000020
【図８】
2004212088.tif 000021